Podtech/llm-jp-corpus-v4-ja_patent huggingface dataset:
【誤訳訂正書】
【提出日】平成20年8月7日(2008.8.7)
【誤訳訂正１】
【訂正対象書類名】明細書
【訂正対象項目名】特許請求の範囲
【訂正方法】変更
【訂正の内容】
【特許請求の範囲】
【請求項１】
補綴関節において；
・前記補綴関節の第１骨に安定して取付け、該第１骨から離れて対向する関節支承面を備える第１の部材と；
・前記関節の第２骨に固着し、前記第２骨から離れて対向する回転支承面を備え、また該回転支承面に延長して軸線を形成する凹部を有する第２の部材と；
・前記第１の部材との関節支承合をする第１の支承面と、前記第２の部材の支承面と回転支承係合する第２の支承面を備え、さらに該第２の支承面から延長し前記第２の部材の凹部に回転自在に係合する突起を備えて、該突起により前記凹部の軸線と回転の軸線が形成される支承と；
からなり、
選ばれた一方の前記第２の部材の回転支承面と前記支承の第２の支承面に、それから延長するストッパを配設し、前記ストッパが前記第２の部材において着脱自在に係合され、他方の前記第２の部材の回転支承面と前記支承の第２の支承面が前記複数の軸線の周りで同軸の弓形スロットとともに形成され、前記スロットが選ばれた角度で延長し、且つ前記ストッパを摺動自在に収容して前記第２の部材に対する前記支承の回転を制限することを特徴とする補綴関節。
【請求項２】
前記スロットがほぼ９０°の角度で延長することを特徴とする請求項１記載の補綴関節。
【請求項３】
前記ストッパが、前記第２の部材上にあり、前記スロットが支承の中に形成されていることを特徴とする請求項１記載の補綴関節。
【請求項４】
前記ストッパの前記第２の部材の支承面から延長する複数の部分がほぼ円筒状であって、該第２の部材にある凹部の軸線とほぼ平行していることを特徴とする請求項３記載の補綴関節。
【請求項５】
前記第２の部材が前記支承面に延長するねじ付き開口部を備え、また前記ストッパが前記第２の部材のねじ付き開口部に着脱自在に係合されるねじ付き端部を備えることを特徴とする請求項３記載の補綴関節。
【請求項６】
前記第２の部材の支承面が、前記凹部から間隔をおき、また前記ストッパからも間隔をおいたすべての位置で実質的に平面であることを特徴とする請求項３記載の補綴関節。
【請求項７】
前記支承の第２の支承面がその上の前記突起から間隔をおき、また前記スロットから間隔をおいたすべての位置で実質的に平面であることを特徴とする請求項６記載の補綴関節。
【請求項８】
前記関節が膝関節であって、前記第１骨が大腿骨、第２骨が脛骨であり、前記第１の部材が前記大腿骨との係合のために構成された上位面を備え、また１組の関節丘からなる下位面を備える大腿骨部材であり、前記第２の部材が前記脛骨への取付けのために構成された下位面を備え、前記支承の上位支承面が前記大腿骨部材の関節丘と関節支承係合に係合するよう構成されていることを特徴とする請求項１記載の補綴関節。
【請求項９】
・膝関節の大腿骨に固着する上位面を備え、一対の関節丘を形成する下位関節支承面をさらに有する大腿骨部材と；
・前記膝関節の脛骨の切除ずみ近位端部に固着する構成にした下位面を備え、上位支承面と、該上位支承面に延長し軸線を形成する凹部と、前記支承面から前記凹部から間隔をおいた位置で近位方向に突出し、前記凹部の軸線に実質的に平行であるストッパとを更に有する脛骨部材と；
・前記大腿骨部材の関節丘と関節支承係合をする上位支承面と、前記脛骨部材の凹部で回転自在に係合して、その軸線の周りで回転する突起をもった下位面を有する支承と；
からなり、
・前記支承の下位面のその突起から間隔をおいた部分により前記脛骨部材の上位面と回転支承係合にある下位支承面が形成されることと；
・前記支承の下位支承面に弓形スロットが形成され、前記脛骨部材において着脱自在に係合するストッパと係合させることと；
・前記スロットが前記軸線と同軸であり、またそれにより選択された弓形が形成されて、前記スロットにあるストッパの係合が前記支承の前記脛骨上の回転を前記弓形により形成されるアンギュラーマウント（ａｎｇｕｌａｒ  ｍｏｕｎｔ）で停止することと；
を特徴とする膝関節補綴。
【手続補正書】
【提出日】平成20年7月30日(2008.7.30)
【手続補正１】
【補正対象書類名】明細書
【補正対象項目名】特許請求の範囲
【補正方法】変更
【補正の内容】
【特許請求の範囲】
【請求項１】 磁気共鳴イメージングに適した、防熱板およびクライオジェン圧力容器を包囲する真空容器を含む、超伝導磁石内に使用するための断熱材において、
互いに隣接して位置づけられた複数の断熱性の多層ブランケットであって、
各ブランケットは低伝導性のスペーサ材で分離された低熱放射率の材料の複数の間隔をおかれた層を一緒に固定して含んでおり、ブランケットの隣接する縁部は継ぎ目を形成していてその接合部がブランケットの連続する層でオフセットされている、前記複数のブランケットと、
前記継ぎ目を閉じて前記多層ブランケットを通しての熱伝達を最小にするために、前記継ぎ目において隣接するブランケットの複数の層の上に配置された低放射率の材料の接着性ストリップと、
を含む、断熱材。
【請求項２】 前記低放射率材がアルミニウムおよびアルミナイズマイラからなる群から選ばれる、請求項１記載の超電導磁石断熱材。
【請求項３】 低伝導性のスペーサ材で分離された低熱放射率の材料の前記複数の間隔をおかれた層を貫通する複数の熱的に非伝導性のステークによって一緒に固定されている、請求項２記載の超電導磁石断熱材。
【請求項４】 前記ステークが前記層を相対的に移動しないよう固定するために使用され、そして前記ステークは前記隣接する縁部に隣接した領域の外にそして前記ストリップを超えて位置づけられている、請求項３記載の超電導磁石断熱材。
【請求項５】 前記ステークはその両端でＴ−形をしていて、前記間隔をおかれた層の頂部および底部を超えて延びている、請求項４記載の超電導磁石断熱材。
【請求項６】 前記ストリップが自己接着性ストリップであり、該自己接着性ストリップが剥離裏打ちを含んでおり、実質的にその半分が前記ブランケットの前記遠隔端の一つに接着されていて、前記ブランケットが前記真空容器内に位置づけられるときに前記遠隔端を一緒に固定するのに他の半分が利用できる、請求項１記載の超電導磁石断熱材。
【請求項７】 低放射率の材料の前記シートの少なくとも幾つかにガス抜きスリットが与えられている、請求項３記載の超電導磁石断熱材。
【請求項８】 隣接する層における前記ガス抜きスリットが互いにオフセットされている、請求項７記載の超電導磁石断熱材。
【請求項９】 前記低伝導性のスペーサ材がスパンボンドされたポリエステルであり、低放射率層に結合されていない、請求項８記載の超電導磁石断熱材。
【請求項１０】 各ブランケットの複数の層が突き合わされ、そして前記ストリップが隣接する反射層の複数の対の上にある、請求項４記載の超電導磁石熱材。
【請求項１１】 隣接する反射層の１層以上が前記層間の接合部の両面に当てられた前記ストリップを含んでいる、請求項１０記載の超電導磁石断熱材。
【手続補正書】
【提出日】平成20年8月8日(2008.8.8)
【手続補正１】
【補正対象書類名】特許請求の範囲
【補正対象項目名】全文
【補正方法】変更
【補正の内容】
【特許請求の範囲】
【請求項１】
普通入賞口にパチンコ球が入賞すると、数字や絵などの図柄が変動する変動表示ゲームを開始し、前記図柄が所定の数だけ揃うことにより大当り状態に移行すると共に、前記図柄が特別図柄で揃った特別大当りの場合、大当りゲームの終了後、前記変動表示ゲームにおいて通常よりも高確率で大当りが発生する確率変動状態に移行する一方、普通図柄で揃った普通大当りの場合には、大当りゲームの終了後、前記変動表示ゲームの大当り確率が通常の普通確率状態に戻る遊技機において、
ディジタルスタートチャッカーをパチンコ球が通過することにより第１表示器の表示が変動する第１変動表示ゲームを開始し、前記第１表示器が特定の表示で停止した場合、特別入賞口が具備するチューリップが所定時間開き、パチンコ球が前記チューリップから前記特別入賞口に入賞したことを検出する検出手段と、
前記検出手段が前記特別入賞口にパチンコ球が入賞したことを検出した場合、第２表示器の表示が変動する第２変動表示ゲームを開始する第２変動表示ゲーム開始手段と、
前記第２表示器の表示が同一数字で停止した場合、所定時間または所定ゲーム数だけ確率変動状態に移行させる制御部とを具備し、
前記制御部は、前記第２表示器に表示された同一数字が普通数字の場合よりも、特別数字の方が所定時間または所定ゲーム数を長く確率変動状態にすると共に、前記第１変動表示ゲームにおいて前記第１表示器が特定の表示で停止しやすくなり、また前記チューリップの開放時間も向上させること、
を特徴とする遊技機。
【請求項２】
請求項１に記載の遊技機において、
向上した前記変動表示ゲームの大当り発生確率の持続を制限する制限手段を具備し、
前記制限手段は、所定時間または所定ゲーム数だけ大当り発生確率を持続させた後、前記普通確率状態に移行させること、
を特徴とする遊技機。
【手続補正２】
【補正対象書類名】明細書
【補正対象項目名】０００８
【補正方法】変更
【補正の内容】
【０００８】
請求項１に係る本発明の遊技機は、上記の目的を達成するために、普通入賞口にパチンコ球が入賞すると、数字や絵などの図柄が変動する変動表示ゲームを開始し、前記図柄が所定の数だけ揃うことにより大当り状態に移行すると共に、前記図柄が特別図柄で揃った特別大当りの場合、大当りゲームの終了後、前記変動表示ゲームにおいて通常よりも高確率で大当りが発生する確率変動状態に移行する一方、普通図柄で揃った普通大当りの場合には、大当りゲームの終了後、前記変動表示ゲームの大当り確率が通常の普通確率状態に戻る遊技機において、ディジタルスタートチャッカーをパチンコ球が通過することにより第１表示器の表示が変動する第１変動表示ゲームを開始し、前記第１表示器が特定の表示で停止した場合、特別入賞口が具備するチューリップが所定時間開き、パチンコ球が前記チューリップから前記特別入賞口に入賞したことを検出する検出手段と、前記検出手段が前記特別入賞口にパチンコ球が入賞したことを検出した場合、第２表示器の表示が変動する第２変動表示ゲームを開始する第２変動表示ゲーム開始手段と、前記第２表示器の表示が同一数字で停止した場合、所定時間または所定ゲーム数だけ確率変動状態に移行させる制御部とを具備し、前記制御部は、前記第２表示器に表示された同一数字が普通数字の場合よりも、特別数字の方が所定時間または所定ゲーム数を長く確率変動状態にすると共に、前記第１変動表示ゲームにおいて前記第１表示器が特定の表示で停止しやすくなり、また前記チューリップの開放時間も向上させることを特徴とする。
請求項２に係る本発明の遊技機は、請求項１に記載の遊技機において、向上した前記変動表示ゲームの大当り発生確率の持続を制限する制限手段を具備し、前記制限手段は、所定時間または所定ゲーム数だけ大当り発生確率を持続させた後、前記普通確率状態に移行させることを特徴とする。
【手続補正３】
【補正対象書類名】明細書
【補正対象項目名】００１６
【補正方法】変更
【補正の内容】
【００１６】
表示装置９は、カラー液晶ディスプレイ（最近では、３Ｄ表示可能なものも存在する。また、高精細な有機ＥＬディスプレイも利用可能な状態にある。）などを備えた表示部１２と第１普通入賞口１０、第２普通入賞口１１及びチューリップ２０ａを具備する特別入賞口２０に入賞したパチンコ球の数を表示する入賞球表示部１３とを備えている。
【手続補正書】
【提出日】平成20年10月6日(2008.10.6)
【手続補正１】
【補正対象書類名】特許請求の範囲
【補正対象項目名】請求項１
【補正方法】変更
【補正の内容】
【請求項１】
一端に給水源に続いた配管と接続可能なノズルを有し、他端には低融点合金が充填されたシリンダーを有しており、該シリンダーは感熱作動部内に組み込まれていて平時において感熱作動部は前記ノズルを閉止する弁体を支持しており、前記シリンダーの底面から延出した牡ネジが、内部に牝ネジを有しており外部にヒートコレクターが設けられた円筒部材と螺合され、シリンダーと円筒部材の間にシリンダーを覆い隠すカバーが設けられた構造のスプリンクラーヘッドにおいて、シリンダーに接続される前の状態でヒートコレクターとカバーが接続されていることを特徴とするスプリンクラーヘッド。
【手続補正書】
【提出日】平成20年8月20日(2008.8.20)
【手続補正１】
【補正対象書類名】特許請求の範囲
【補正対象項目名】全文
【補正方法】変更
【補正の内容】
【特許請求の範囲】
【請求項１】
パイロットキャリアを周波数方向に分散的に時間方向に連続的に配置するＣＰモードと、パイロットキャリアを周波数方向及び時間方向に分散的に配置するＳＰモードを含む２つ以上のモードのうちのいずれかのモードが使用されてＯＦＤＭ変調方式により送信された信号を受信する受信装置において、
各キャリア毎に受信信号とその１シンボル時間差の信号との間で作動検波処理を行い、その結果を取得する第１の作動検波手段と、
前記第１の作動検波手段により取得された結果を１シンボル時間分の複数キャリアについて総和する第１の総和手段と、
各キャリア毎に受信信号の２乗を算出し、当該算出結果を１シンボル時間分の複数キャリアについて総和し、当該総和結果をレベル調整した結果をしきい値として取得する取得手段と、
前記第１の総和手段により得られた総和結果が前記取得手段により取得されたしきい値を超える又は当該しきい値以上である場合に受信信号に使用されたモードがＣＰモードであると判別する第１の判別手段と、を備えた、
ことを特徴とする受信装置。
【請求項２】
請求項１に記載の受信装置において、
前記２つ以上のモードには、同期変調のモードである前記ＣＰモード及び前記ＳＰモードと、パイロットキャリアが不使用である差動変調のモードが含まれ、
前記ＳＰモードでは、パイロットキャリアが時間方向に２以上であるｎシンボルの間隔で配置されており、
当該受信装置は、各キャリア毎に受信信号とそのｎシンボル時間差の信号との間で作動検波処理を行い、その結果を取得する第２の作動検波手段と、
前記第２の作動検波手段により取得された結果を１シンボル時間分の複数キャリアについて総和する第２の総和手段と、
前記第２の総和手段により得られた総和結果が前記取得手段により取得されたしきい値を超える又は当該しきい値以上である場合に受信信号に使用されたモードが同期変調のモードであると判別し、前記第２の総和手段により得られた総和結果が前記取得手段により取得されたしきい値以下である又は当該しきい値未満である場合に受信信号に使用されたモードが差動変調のモードであると判別する第２の判別手段と、を備えた、
ことを特徴とする受信装置。
【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
１次コイルと２次コイルを電磁的に結合させて送電装置から、整流回路およびレギュレータを含む受電装置に対して電力を伝送し、前記受電装置の電圧出力ノードから負荷に対して電力を供給する無接点電力伝送システムの前記受電装置に設けられる受電制御装置であって、
前記受電装置に設けられた前記レギュレータの入力端の電圧および出力端の電圧の少なくとも一つを監視し、前記入力端の電圧および出力端の電圧の少なくとも一つが低下して前記負荷に対する給電能力が低下すると、前記レギュレータの前記入力端と出力端との間に設けられたスイッチ回路をオンさせ、前記レギュレータの前記入力端と前記出力端とを直結するバイパス経路を形成する受電制御回路を、有することを特徴とする受電制御装置。
【請求項２】
請求項１記載の受電制御装置であって、
前記レギュレータは、電源回路として機能するシリーズレギュレータであり、
前記負荷は、２次電池を含むことを特徴とする受電制御装置。
【請求項３】
請求項１または請求項２記載の受電制御装置であって、
前記受電制御回路は、前記レギュレータの前記入力端の電圧に基づいて前記スイッチ回路をオンさせ、あるいはオフさせることを特徴とする受電制御装置。
【請求項４】
請求項１または請求項２記載の受電制御装置であって、
前記受電制御回路）は、前記レギュレータの前記出力端の電圧に基づいて前記スイッチ回路をオンさせ、あるいはオフさせることを特徴とする受電制御装置。
【請求項５】
請求項１または請求項２記載の受電制御装置であって、
前記受電制御回路は、前記レギュレータの前記入力端の電圧に基づいて前記スイッチ回路をオンさせ、前記レギュレータの前記出力端の電圧に基づいて前記スイッチ回路をオフさせることを特徴とする受電制御装置。
【請求項６】
請求項１〜請求項５のいずれか記載の受電制御装置であって、
前記スイッチ回路をオンさせるための第１の閾値電圧よりも、前記スイッチ回路をオフさせるための第２の閾値電圧を高く設定することを特徴とする受電制御装置。
【請求項７】
請求項６記載の受電制御装置であって、
前記受電制御装置は、前記スイッチ回路のオン／オフを切換える切換え制御信号を生成する切換え制御信号生成回路を有し、この切換え制御信号生成回路は、
前記レギュレータの出力端の電圧を分圧するための第１、第２および第３の分圧抵抗と、
反転端子に、前記第１および第２の分圧抵抗の共通接続点の電圧が印加され、非反転端子に基準電圧が印加される第１のヒステリシスコンパレータと、
反転端子に、前記第２および第３の分圧抵抗の共通接続点の電圧が印加され、非反転端子に前記基準電圧が印加される第２のヒステリシスコンパレータと、
前記第１のヒステリシスコンパレータの出力電圧のポジティブエッジまたはネガティブエッジによりセットされ、前記第２のヒステリシスコンパレータの出力電圧のポジティブエッジまたはネガティブエッジによりリセットされ、その出力端から前記切換え制御信号を出力するＲＳフリップフロップと、
を有することを特徴とする受電制御装置。
【請求項８】
請求項１〜請求項７のいずれか記載の受電制御装置であって、
前記受電制御回路は、前記スイッチ回路をオンして前記バイパス経路を形成すると共に、前記レギュレータの全部または一部を非動作状態とすることを特徴とする受電制御装置。
【請求項９】
請求項８記載の受電制御装置であって、
前記レギュレータの全部または一部の非動作状態／動作状態は、前記スイッチ回路をオン／オフさせる切換え制御信号に基づいて制御されることを特徴とする受電制御装置。
【請求項１０】
請求項１〜請求項９のいずれか記載の受電制御装置と、
前記整流回路を含み、前記２次コイルの誘起電圧を直流電圧に変換する受電部と、
前記レギュレータと、前記レギュレータの前記入力端および出力端との間に設けられた前記スイッチ回路と、を含み、前記負荷への給電を制御する給電制御部と、
を有することを特徴とする受電装置。
【請求項１１】
請求項１０記載の受電装置であって、
さらに、前記スイッチ回路のオン／オフを制御するためのバイパス制御回路を有し、前記受電制御回路は、前記バイパス制御回路の動作を制御することによって、前記スイッチ回路のオン／オフを制御することを特徴とする受電装置。
【請求項１２】
請求項１１記載の受電装置であって、
前記スイッチ回路は、
ソースおよびドレインが各々、前記レギュレータの入力端および出力端に接続されたＰＭＯＳトランジスタにより構成され、
前記バイパス制御回路は、
ソースが接地され、ドレインが前記ＰＭＯＳトランジスタのゲートに接続されたＮＭＯＳトランジスタと、
前記ＰＭＯＳトランジスタの前記ゲートと前記レギュレータの入力端との間に接続されたプルアップ抵抗と、により構成されることを特徴とする受電装置。
【請求項１３】
請求項１０〜請求項１２のいずれか記載の受電装置と、
前記受電装置により電力が供給される負荷と、を含むことを特徴とする電子機器。
【請求項１４】
請求項１３記載の電子機器であって、
前記電子機器は、携帯端末であることを特徴とする電子機器。
【手続補正２】
【補正対象書類名】明細書
【補正対象項目名】００２２
【補正方法】変更
【補正の内容】
【００２２】
また、本発明の受電制御装置の他の態様では、前記受電制御装置は、前記スイッチ回路のオン／オフを切換える切換え制御信号を生成する切換え制御信号生成回路を有し、この切換え制御信号生成回路は、前記レギュレータの出力端の電圧を分圧するための第１、第２および第３の分圧抵抗と、反転端子に、前記第１および第２の分圧抵抗の共通接続点の電圧が印加され、非反転端子に基準電圧が印加される第１のヒステリシスコンパレータと、反転端子に、前記第３および第４の分圧抵抗の共通接続点の電圧が印加され、非反転端子に前記基準電圧が印加される第２のヒステリシスコンパレータと、前記第１のヒステリシスコンパレータの出力電圧のポジティブエッジまたはネガティブエッジによりセットされ、前記第２のヒステリシスコンパレータの出力電圧のポジティブエッジまたはネガティブエッジによりリセットされ、その出力端から前記切換え制御信号を出力するＲＳフリップフロップと、を有する。
【手続補正３】
【補正対象書類名】明細書
【補正対象項目名】００２８
【補正方法】変更
【補正の内容】
【００２８】
また、本発明の受電装置は、上記いずれかの受電制御装置と、前記整流回路を含み、前記２次コイルの誘起電圧を直流電圧に変換する受電部と、前記レギュレータと、前記レギュレータの前記入力端および出力端との間に設けられた前記スイッチ回路とを含み、前記負荷への給電を制御する給電制御部と、を有する。
【手続補正書】
【提出日】平成20年5月12日(2008.5.12)
【手続補正１】
【補正対象書類名】特許請求の範囲
【補正対象項目名】全文
【補正方法】変更
【補正の内容】
【特許請求の範囲】
【請求項１】
障害版は、トラップ口より大きくしたものをトラップ口中心の真下に附ける。障害板の上側も下側にも（勾配）斜面になっている。障害板とトラップ口の間は、水の通るすき間をあけることにより、沈んでいくスカム等は障害板の上側斜面を滑り沈んでいき、また浮いてくるスカム等は下側斜面にあたり滑ってトラップ口より外側に浮上することで、汚水だけが流れることを特徴とする浄化槽用障害板付トラップ
【請求項２】
障害板とトラップを固定するトラップと障害板固定部材は、障害板の上側中心部に附いておりトラップ側に固定去れている。これにより沈んでいくスカム等が、トラップと障害板固定部材に引っ掛ることなく、障害板の上側斜面を滑り沈んでいくことを特徴とする浄化槽用障害板付トラップ。
【手続補正２】
【補正対象書類名】明細書
【補正対象項目名】０００５
【補正方法】変更
【補正の内容】
【０００５】  請求項２の発明は、浮き沈みしているスカム等がトラップと障害板を固定する、トラップと障害板固定部材に引っ掛ることなく浮き沈みするようにした。
【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
金融商品の取引を支援し、複数の情報処理装置とネットワークを介して接続する営業店システムにおいて、
複数の買い手それぞれを識別する識別子、複数の金融商品それぞれを識別する金融商品識別子および前記識別子で示される買い手が、前記金融商品識別子で識別される金融商品に対して興味を持っていないことを示すフラグである気付きフラグを対応付けて記憶する記憶装置、
前記ネットワークと接続する接続装置、および
前記接続装置および前記記憶装置と接続される処理装置を有し、
前記処理装置は、買い手に対し、情報処理装置を介して、複数の金融商品に含まれる金融商品の概要を示す概要情報を提示し、
提示された概要情報に対する前記買い手からの入力を受付け、
前記買い手を識別する識別子と、前記概要情報が提示された金融商品を識別する金融情報識別子と、前記買い手が当該金融商品に対するステータスが理解であることを示す理解フラグをそれぞれ対応づけて前記記憶装置に記憶し、
前記買い手から金融商品に対する入力を受付けた場合、当該金融商品の金融商品識別子に対応付けられたフラグが理解フラグであれば、当該金融商品の詳細情報を前記買い手に提示し、
前記買い手から金融商品を購入するための検討希望の入力を受付けた場合、当該検討希望された金融商品の金融商品識別子に対応付けられたフラグが理解フラグであれば、当該理解フラグを、検討希望を示す納得フラグに変更して前記記憶装置に記憶することで
前記納得フラグが記憶された買い手に、対応する金融商品の購入を勧めることを実現する営業店システム。
【請求項２】
請求項１に記載の営業点システムにおいて、
前記処理装置は、前記買い手に対して、検討希望の入力された金融商品について、詳細情報を提示することを特徴とする営業店システム。
【請求項３】
請求項１または２に記載の営業店システムにおいて、
前記処理装置は、
前記フラグを対応付けての記憶および前記購入検討希望フラグの記憶により金融商品の購入の段階を区分して管理し、
前記区分された段階に応じた金融商品に関する情報を提示することを特徴とする営業店システム。
【請求項４】
請求項１または２に記載の営業店システムにおいて、
前記処理装置は、
前記検討希望の入力履歴を記憶することを特徴とする営業店システム。
【請求項５】
請求項１または２または３に記載の営業店システムにおいて、
前記処理装置は、前記検討希望の入力履歴について営業店員からの参照要求を受付けることを特徴とする営業店システム。
【請求項６】
請求項１または２または５に記載の営業店システムにおいて、
前記処理装置は、前記買い手の取引を営業店員が対応する場面において、前記取引と前記検討希望の商品に関する取引を、営業店員の判断での切り替え要求を受付けることを特徴とする営業店システム。
【請求項７】
金融商品の取引を支援し、複数の情報処理装置とネットワークを介して接続する営業店システムを用いた情報管理方法において、
前記営業店システムは、複数の買い手それぞれを識別する識別子、複数の金融商品それぞれを識別する金融商品識別子および前記識別子で示される買い手が、前記金融商品識別子で識別される金融商品に対して興味を持っていないことを示すフラグである気付きフラグを対応付けて記憶する記憶装置、前記ネットワークと接続する接続装置、および、前記接続装置および前記記憶装置と接続される処理装置を有し、
前記処理装置は、
商品の買い手に対し、情報処理装置を介して、複数の金融商品に含まれる金融商品の概要を示す概要情報を提示し、
提示された概要情報に対する前記買い手からの入力を受付け、
前記買い手を識別する識別子と、前記概要情報が提示された金融商品を識別する金融情報識別子と、前記買い手が当該金融商品に対するステータスが理解であることを示す理解フラグをそれぞれ対応づけて前記記憶装置に記憶し、
前記買い手から金融商品に対する入力を受付けた場合、当該金融商品の金融商品識別子に対応付けられたフラグが理解フラグであれば、当該金融商品の詳細情報を前記買い手に提示し、
前記買い手から金融商品を購入するための検討希望の入力を受付けた場合、当該検討希望された金融商品の金融商品識別子に対応付けられたフラグが理解フラグであれば、当該理解フラグを、検討希望を示す納得フラグに変更して前記記憶装置に記憶することで
前記納得フラグが記憶された買い手に、対応する金融商品の購入を勧めることを実現する営業店システムを用いた情報管理方法。
【請求項８】
請求項７に記載の営業点システムを用いた情報管理方法において、
さらに、前記買い手に対して、検討希望の入力された金融商品について、詳細情報を提示することを特徴とする営業店システムを用いた情報管理方法。
【請求項９】
請求項７または８に記載の営業店システムを用いた情報管理方法において、
さらに、
前記フラグが対応付けられた記憶および前記購入検討希望フラグの記憶により商品の購入の段階を区分して管理し、
前記区分された段階に応じた金融商品に関する情報を提示することを特徴とする営業店システムを用いた情報管理方法。
【請求項１０】
請求項７または８に記載の営業店システムを用いた情報管理方法において、
さらに、
前記検討希望の入力履歴を記憶することを特徴とする営業店システムを用いた情報管理方法。
【請求項１１】
請求項７または８に記載の営業店システムを用いた情報管理方法において、
さらに、
前記検討希望の入力履歴を営業店員からの参照可要求を受付けることを特徴とする営業店システムを用いた情報管理方法。
【請求項１２】
請求項７または８に記載の営業店システムを用いた情報管理方法において、
さらに、
前記買い手の取引を営業店員が対応する場面において、前記取引と前記検討希望の金融商品に関する取引を、営業店員の判断での切り替え要求を受付けることを可能とする特徴とする営業店システムを用いた
情報管理方法。
【手続補正書】
【提出日】平成20年2月22日(2008.2.22)
【手続補正１】
【補正対象書類名】特許請求の範囲
【補正対象項目名】全文
【補正方法】変更
【補正の内容】
【特許請求の範囲】
【請求項１】
デジタルコードの光学像を伝播する光路を複数の光路に分岐する分光手段と、
互いに異なる焦点を有し、前記分岐された複数の光路のそれぞれに配置された複数のレンズと、
前記複数のレンズを通過した個々のデジタルコードの光学像を電気信号に変換して、前記デジタルコードの画像データを複数生成する画像生成手段と、
前記複数の画像データのデコードを行うデコード手段と、
を備えることを特徴とするコード読み取り装置。
【請求項２】
前記デコード手段は、
前記画像生成手段により生成された複数の画像データを順次デコードすることを特徴とする請求項１記載のコード読み取り装置。
【請求項３】
前記画像生成手段により生成された複数の画像データを個々に記憶する記憶手段を更に備え、
前記デコード手段は、前記記憶手段により記憶された画像データを読み出してデコードすることを特徴とする請求項１又は２記載のコード読み取り装置。
【請求項４】
前記画像生成手段により生成された複数の画像データを合成する合成手段を更に備え、
前記デコード手段は、前記合成手段により合成された画像データをデコードすることを特徴とする請求項１〜３の何れか一項に記載のコード読み取り装置。
【手続補正２】
【補正対象書類名】明細書
【補正対象項目名】００１９
【補正方法】削除
【補正の内容】
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】削除
【補正の内容】
【手続補正５】
【補正対象書類名】明細書
【補正対象項目名】００２２
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２８
【補正方法】削除
【補正の内容】
【手続補正８】
【補正対象書類名】明細書
【補正対象項目名】００２９
【補正方法】削除
【補正の内容】
【手続補正９】
【補正対象書類名】明細書
【補正対象項目名】００３０
【補正方法】削除
【補正の内容】
【手続補正１０】
【補正対象書類名】明細書
【補正対象項目名】００３１
【補正方法】削除
【補正の内容】
【手続補正１１】
【補正対象書類名】明細書
【補正対象項目名】００３２
【補正方法】削除
【補正の内容】
【手続補正１２】
【補正対象書類名】明細書
【補正対象項目名】００３３
【補正方法】削除
【補正の内容】
【手続補正１３】
【補正対象書類名】明細書
【補正対象項目名】００３４
【補正方法】削除
【補正の内容】
【手続補正１４】
【補正対象書類名】明細書
【補正対象項目名】００３５
【補正方法】削除
【補正の内容】
【手続補正１５】
【補正対象書類名】明細書
【補正対象項目名】００３６
【補正方法】削除
【補正の内容】
【手続補正１６】
【補正対象書類名】明細書
【補正対象項目名】００３７
【補正方法】削除
【補正の内容】
【手続補正書】
【提出日】平成19年12月28日(2007.12.28)
【手続補正１】
【補正対象書類名】特許請求の範囲
【補正対象項目名】全文
【補正方法】変更
【補正の内容】
【特許請求の範囲】
【請求項１】
燃料タンクを備えた移動体であって、
前記燃料タンクに関する燃料タンク関連情報と当該移動体に関する移動体関連情報とを対応づけて記憶する記憶手段を備えることを特徴とする移動体。
【請求項２】
燃料タンクを備えた移動体であって、
前記燃料タンクが備える第一記憶手段又は／及び当該移動体が備える第二記憶手段に、前記第一記憶手段に記憶される燃料タンク関連情報と、前記第二記憶手段に記憶される移動体関連情報とを対応づけて記憶する制御手段を備えることを特徴とする移動体。
【請求項３】
前記制御手段は、前記第一記憶手段を参照して前記燃料タンク関連情報を取得し、前記第二記憶手段に、前記移動体関連情報に対応づけて前記燃料タンク関連情報を記憶することを特徴とする請求項２記載の移動体。
【請求項４】
前記制御手段は、前記第二記憶手段を参照して前記移動体関連情報を取得し、前記第一記憶手段に、前記燃料タンク関連情報に対応づけて前記移動体関連情報を記憶することを特徴とする請求項２記載の移動体。
【請求項５】
前記制御手段は、前記燃料タンクが当該移動体に取り付けられたタイミングで前記燃料タンク関連情報を取得し、前記燃料タンク関連情報と前記移動体関連情報とを対応づけて記憶する処理を実行することを特徴とする請求項２乃至４のいずれか１項に記載の移動体。
【請求項６】
前記制御手段は、燃料タンクに対する燃料充填作業が実施されたタイミングで前記燃料タンク関連情報を取得し、前記燃料タンク関連情報と前記移動体関連情報とを対応づけて記憶する処理を実行することを特徴とする請求項２乃至４のいずれか１項に記載の移動体。
【請求項７】
更に、前記制御手段は、通信手段を制御して、前記第一記憶手段又は前記第二記憶手段に記憶される、燃料タンク関連情報と該燃料タンク関連情報に対応する移動体関連情報とのセットを、移動体の外部に設置される管理装置に対して送信することを特徴とする請求項２乃至６のいずれか１項に記載の移動体。
【請求項８】
前記燃料タンクが備える第一記憶手段は、ＲＦＩＤタグであり、前記制御手段は、当該移動体が備えるＲＦＩＤリーダを介して前記ＲＦＩＤタグにアクセスすることを特徴とする請求項２乃至７のいずれか１項に記載の移動体。
【請求項９】
前記燃料タンク関連情報は、燃料タンクの所有者に関わる情報、燃料タンクの製造に関わる情報、充填される燃料の属性に関わる情報、充填作業に関わる情報の少なくともいずれか含み、前記移動体関連情報は、移動体の所有者に関わる情報、移動体製造番号、移動体登録番号の少なくともいずれかを含んでいることを特徴とする請求項１乃至８のいずれか１項に記載の移動体。
【請求項１０】
前記燃料タンクが燃料ガスタンク、高圧ガスタンク、水素タンクの少なくともいずれかに該当することを特徴とする請求項１乃至９のいずれか１項に記載の移動体。
【請求項１１】
前記移動体が燃料電池車両であることを特徴とする請求項１乃至１０のいずれか１項に記載の移動体。
【請求項１２】
移動体に取り付けられる燃料タンクの管理装置であって、
移動体から送信される、該移動体に取り付けられた燃料タンクの関連情報と該移動体の移動体関連情報とのセットを受信する手段と、
前記受信したセットに含まれる燃料タンク関連情報と移動体関連情報とを対応づけてデータベースに登録する手段とを備えることを特徴とする管理装置。
【請求項１３】
移動体に取り付けられる燃料タンクの管理方法であって、
前記燃料タンクが備える第一記憶手段又は／及び前記移動体が備える第二記憶手段に、前記第一記憶手段に記憶される燃料タンク関連情報と、前記第二記憶手段に記憶される移動体関連情報とを対応づけて記憶する工程と、
前記第一記憶手段又は前記第二記憶手段に記憶される、燃料タンク関連情報と該燃料タンク関連情報に対応する移動体関連情報とのセットを、移動体の外部に設置される管理装置に対して送信する工程と、
を備えることを特徴とする管理方法。
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
パスワードロック機能を有する記録メディアを着脱可能な複数のメディア装着部と、
前記複数のメディア装着部に装着された個々の記録メディアにパスワードを設定するパスワード設定手段と、
前記パスワード設定手段により設定されたパスワードを記憶する記憶手段と、
前記複数のメディア装着部に装着された個々の記録メディアが予め決められた記録方式によりアクセス可能であるか否かの認証を、前記記憶手段により記憶されたパスワードを用いて行う認証手段と、
前記認証手段により前記複数のメディア装着部に装着された個々の記録メディアが前記予め決められた記録方式によりアクセス可能であると認証された場合に、前記各記録メディアに対して前記予め決められた記録方式によるデータの読み書きを行う制御手段とを有することを特徴とするデータ記録装置。
【請求項２】
前記認証手段は、前記記憶手段により記憶されたパスワードと前記複数のメディア装着部に装着された個々の記録メディアに設定されているパスワードとの合致を条件として、ＲＡＩＤ記録方式によりアクセス可能であると認証することを特徴とする請求項１記載のデータ記録装置。
【請求項３】
前記記憶手段により記憶されたパスワードと前記複数のメディア装着部に装着された記録メディアに設定されているパスワードの両者が一致しない場合は、前記記録メディアに設定されているパスワードの変更または再設定により、前記両者を一致させるパスワード変更／再設定手段を有することを特徴とする請求項２記載のデータ記録装置。
【請求項４】
前記認証手段は、前記複数のメディア装着部に装着されたすべての記録メディアがＲＡＩＤ記録方式によりアクセス可能に組み合わされたものであるか否かに応じて前記認証を行うことを特徴とする請求項１〜３のいずれか１項に記載のデータ記録装置。
【請求項５】
前記認証手段は、前記複数のメディア装着部に装着されたすべての記録メディアがＲＡＩＤ記録方式でフォーマットされている場合に、前記すべての記録メディアがＲＡＩＤ記録方式によりアクセス可能に組み合わされたものであると認証することを特徴とする請求項４記載のデータ記録装置。
【請求項６】
前記制御手段は、前記複数のメディア装着部に装着された記録メディアにＲＡＩＤ記録方式により順番にアクセスし、前記認証手段は、前記制御手段によるアクセスの順番を規定する所定情報が前記各記録メディアに記録されている場合に、前記すべての記録メディアがＲＡＩＤ記録方式によりアクセス可能に組み合わされたものであると認証することを特徴とする請求項４記載のデータ記録装置。
【請求項７】
前記制御手段は、記録メディアがどのメディア装着部に装着されたとしても、装着された各記録メディアに記録された前記所定情報に基づき規定される順番で、ＲＡＩＤ記録方式によるデータの読み書きを行うことを特徴とする請求項６記載のデータ記録装置。
【請求項８】
前記各記録メディアに記録される前記所定情報には、当該記録メディアの固有情報と、当該記録メディアに対して記録の順番が次である記録メディアの固有情報とが含まれていることを特徴とする請求項６または７記載のデータ記録装置。
【請求項９】
前記制御手段は、ＲＡＩＤ記録方式によるデータの記録において、前記複数のメディア装着部に装着された複数の記録メディアのうち、メモリフルになったものが発生した場合は、空き領域を有する他の複数の記録メディアに対して、ＲＡＩＤ記録方式のフォーマットを再設定し、該フォーマット再設定後の複数の記録メディアに対して、ＲＡＩＤ記録方式により残りのデータの記録を継続することを特徴とする請求項１〜８のいずれか１項に記載のデータ記録装置。
【手続補正２】
【補正対象書類名】明細書
【補正対象項目名】０００１
【補正方法】変更
【補正の内容】
【０００１】
本発明は、複数のメディア装着部に装着された記録メディアに、ＲＡＩＤ（Redundant Array of Inexpensive Disks）等の予め決められた記録方式により、データを記録するデータ記録装置に関する。
【手続補正３】
【補正対象書類名】明細書
【補正対象項目名】００１０
【補正方法】変更
【補正の内容】
【００１０】
上記目的を達成するために本発明の請求項１のデータ記録装置は、パスワードロック機能を有する記録メディアを着脱可能な複数のメディア装着部と、前記複数のメディア装着部に装着された個々の記録メディアにパスワードを設定するパスワード設定手段と、前記パスワード設定手段により設定されたパスワードを記憶する記憶手段と、前記複数のメディア装着部に装着された個々の記録メディアが予め決められた記録方式によりアクセス可能であるか否かの認証を、前記記憶手段により記憶されたパスワードを用いて行う認証手段と、前記認証手段により前記複数のメディア装着部に装着された個々の記録メディアが前記予め決められた記録方式によりアクセス可能であると認証された場合に、前記各記録メディアに対して前記予め決められた記録方式によるデータの読み書きを行う制御手段とを有することを特徴とする。
【手続補正４】
【補正対象書類名】明細書
【補正対象項目名】０１５１
【補正方法】変更
【補正の内容】
【０１５１】
１  撮像装置
２０  メモリ（記憶手段）
２３  ディスクアレイコントローラ
２４  カードＩ／Ｆ（メディア装着部）
２８  システム制御部（パスワード設定手段、認証手段、制御手段）
ＳＤＣ  記録メディア
【手続補正書】
【提出日】平成20年4月8日(2008.4.8)
【手続補正１】
【補正対象書類名】特許請求の範囲
【補正対象項目名】請求項１９
【補正方法】変更
【補正の内容】
【請求項１９】
前記画像形成装置は、特定画像処理サービスの実行要求を所定のメッセージ形式で情報端末より受信することを特徴とする請求項１７または１８記載のサービス連携処理方法。
【手続補正２】
【補正対象書類名】明細書
【補正対象項目名】０１０９
【補正方法】変更
【補正の内容】
【０１０９】
〔第３実施形態〕
なお、上記実施形態では、Ｕｓｅｒ−ＡがＰＤＦｔｏＰＣＬ−Ｓ４０８へのアクセス権を所有しない場合に、ＰＤＦＰＳ４０４の認証トークンを添付することにより、ＰＤＦｔｏＰＣＬ−Ｓ４０８へのアクセスを可能にする場合について説明したが、ユーザレベルに代えて、複数のユーザに割当てられているグループを単位としてグループ認証を行う場合にも本発明を適用可能である。
【手続補正３】
【補正対象書類名】図面
【補正対象項目名】図６
【補正方法】変更
【補正の内容】
【図６】
2006293742.tif 000001
【手続補正書】
【提出日】平成20年4月8日(2008.4.8)
【手続補正１】
【補正対象書類名】特許請求の範囲
【補正対象項目名】全文
【補正方法】変更
【補正の内容】
【特許請求の範囲】
【請求項１】
回線を介して接続された情報処理装置と通信する通信手段と、
取り出し可能な記録媒体に対してデータを記録再生するドライブを有する記録再生手段と、
所定のイベントの実行中は前記記録媒体のイジェクトをロック状態に設定するドライブ制御手段と、
前記通信手段を介して前記情報処理装置から送られてくるコマンドに従って、前記記録再生手段及び前記ドライブ制御手段に対して制御指示を行うメイン制御手段と、を有し、
前記記録媒体のイジェクトがロック状態に設定されている場合において、前記コマンドを待機する状態となってから一定時間以上が経過したときには、前記メイン制御手段は、前記ドライブ制御手段によって前記記録媒体のイジェクトをアンロック状態に遷移させることを特徴とする記録再生装置。
【請求項２】
前記メイン制御手段は、前記コマンドを待機する状態となってから一定時間以上が経過したときには、前記所定のイベントの実行が終了してから、前記ドライブ制御手段によって前記記録媒体のイジェクトをアンロック状態に遷移させることを特徴とする請求項１に記載の記録再生装置。
【請求項３】
前記所定のイベントとは、前記通信手段を介した前記情報処理装置との間のデータの送受信であることを特徴とする請求項１または２に記載の記録再生装置。
【請求項４】
前記所定のイベントとは、前記情報処理装置から送られてくるコマンドに従って実行される動作であることを特徴とする請求項１または２に記載の記録再生装置。
【請求項５】
前記コマンドは、前記記録媒体のイジェクトをロックするためのコマンド、及びアンロックするためのコマンドを含むことを特徴とする請求項１乃至４のいずれか１項に記載の記録再生装置。
【手続補正２】
【補正対象書類名】明細書
【補正対象項目名】発明の名称
【補正方法】変更
【補正の内容】
【発明の名称】記録再生装置
【手続補正３】
【補正対象書類名】明細書
【補正対象項目名】００３１
【補正方法】変更
【補正の内容】
【００３１】
本発明の記録再生装置は、回線を介して接続された情報処理装置と通信する通信手段と、取り出し可能な記録媒体に対してデータを記録再生するドライブを有する記録再生手段と、所定のイベントの実行中は前記記録媒体のイジェクトをロック状態に設定するドライブ制御手段と、前記通信手段を介して前記情報処理装置から送られてくるコマンドに従って、前記記録再生手段及び前記ドライブ制御手段に対して制御指示を行うメイン制御手段と、を有し、前記記録媒体のイジェクトがロック状態に設定されている場合において、前記コマンドを待機する状態となってから一定時間以上が経過したときには、前記メイン制御手段は、前記ドライブ制御手段によって前記記録媒体のイジェクトをアンロック状態に遷移させることを特徴とする。
【手続補正４】
【補正対象書類名】明細書
【補正対象項目名】００３２
【補正方法】削除
【補正の内容】
【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
印刷装置と通信可能であり、デジタル放送に含まれる印刷データを受信して、前記印刷装置に送信可能な放送受信装置であって、
ユーザからの放送チャネルの切り替え指示入力を受け付ける入力手段と、
デジタル放送に含まれる印刷データの印刷処理を要求する要求情報を前記印刷装置に発行する発行手段と、
前記印刷装置から送信される、印刷処理の実行が可能か否かを示す応答情報を受信する受信手段と、
印刷処理の実行が不可であることを示す応答情報を受信したことに応じて印刷データの送信を待機させるとともに、印刷データの送信待機状態において前記入力手段で放送チャネルの切り替え指示入力を受けた場合には、当該印刷データの印刷処理を優先させるための優先情報を付加した要求情報を前記発行手段から発行させる制御を実行する制御手段と、
を有することを特徴とする放送受信装置。
【請求項２】
前記制御手段は、前記優先情報を付加した要求情報を前記発行手段から発行させ、印刷データを前記印刷装置に送信した後に、前記入力手段で受けた放送チャネルの切り替え指示に従って放送チャネルを切り替える制御を実行することを特徴とする請求項１に記載の放送受信装置。
【請求項３】
前記応答情報が、前記印刷装置で他の印刷データの印刷中であるために印刷処理の実行が不可である旨の情報である場合、前記制御手段は、印刷データの送信待機状態において前記入力手段で放送チャネルの切り替え指示入力を受けた場合に、前記印刷装置で印刷中である他の印刷データの印刷処理を中止するか否かをユーザに問い合わせるための画面を表示させる制御を実行することを特徴とする請求項１または２に記載の放送受信装置。
【請求項４】
印刷装置と通信可能であり、デジタル放送に含まれる印刷データを受信して、前記印刷装置に送信可能な放送受信装置の制御方法であって、
ユーザからの放送チャネルの切り替え指示入力を受け付ける入力ステップと、
デジタル放送に含まれる印刷データの印刷処理を要求する要求情報を前記印刷装置に発行する発行ステップと、
前記印刷装置から送信される、印刷処理の実行が可能か否かを示す応答情報を受信する受信ステップと、
印刷処理の実行が不可であることを示す応答情報を受信したことに応じて印刷データの送信を待機させるとともに、印刷データの送信待機状態において前記入力ステップにて放送チャネルの切り替え指示入力を受けた場合には、当該印刷データの印刷処理を優先させるための優先情報を付加した要求情報を前記発行ステップで発行させる制御を実行する制御ステップと、
を有することを特徴とする放送受信装置の制御方法。
【請求項５】
前記制御ステップでは、前記優先情報を付加した要求情報を前記発行ステップで発行させ、印刷データを前記印刷装置に送信した後に、前記入力ステップにて受けた放送チャネルの切り替え指示に従って放送チャネルを切り替える制御を実行することを特徴とする請求項４に記載の放送受信装置の制御方法。
【請求項６】
前記応答情報が、前記印刷装置で他の印刷データの印刷中であるために印刷処理の実行が不可である旨の情報である場合、前記制御ステップでは、印刷データの送信待機状態において前記入力ステップにて放送チャネルの切り替え指示入力を受けた場合に、前記印刷装置で印刷中である他の印刷データの印刷処理を中止するか否かをユーザに問い合わせるための画面を表示させる制御を実行することを特徴とする請求項４または５に記載の放送受信装置の制御方法。
【手続補正２】
【補正対象書類名】明細書
【補正対象項目名】発明の名称
【補正方法】変更
【補正の内容】
【発明の名称】放送受信装置、及び放送受信装置の制御方法
【手続補正３】
【補正対象書類名】明細書
【補正対象項目名】０００１
【補正方法】変更
【補正の内容】
【０００１】
本発明は、放送受信装置、及び放送受信装置の制御方法に関し、特に、放送受信装置から送られた印刷データに基づく画像を形成するために用いて好適なものである。
【手続補正４】
【補正対象書類名】明細書
【補正対象項目名】００１１
【補正方法】変更
【補正の内容】
【００１１】
本発明の放送受信装置は、印刷装置と通信可能であり、デジタル放送に含まれる印刷データを受信して、前記印刷装置に送信可能な放送受信装置であって、ユーザからの放送チャネルの切り替え指示入力を受け付ける入力手段と、デジタル放送に含まれる印刷データの印刷処理を要求する要求情報を前記印刷装置に発行する発行手段と、前記印刷装置から送信される、印刷処理の実行が可能か否かを示す応答情報を受信する受信手段と、印刷処理の実行が不可であることを示す応答情報を受信したことに応じて印刷データの送信を待機させるとともに、印刷データの送信待機状態において前記入力手段で放送チャネルの切り替え指示入力を受けた場合には、当該印刷データの印刷処理を優先させるための優先情報を付加した要求情報を前記発行手段から発行させる制御を実行する制御手段と、を有することを特徴とする。
【手続補正５】
【補正対象書類名】明細書
【補正対象項目名】００１２
【補正方法】変更
【補正の内容】
【００１２】
本発明の放送受信装置の制御方法は、印刷装置と通信可能であり、デジタル放送に含まれる印刷データを受信して、前記印刷装置に送信可能な放送受信装置の制御方法であって、ユーザからの放送チャネルの切り替え指示入力を受け付ける入力ステップと、デジタル放送に含まれる印刷データの印刷処理を要求する要求情報を前記印刷装置に発行する発行ステップと、前記印刷装置から送信される、印刷処理の実行が可能か否かを示す応答情報を受信する受信ステップと、印刷処理の実行が不可であることを示す応答情報を受信したことに応じて印刷データの送信を待機させるとともに、印刷データの送信待機状態において前記入力ステップにて放送チャネルの切り替え指示入力を受けた場合には、当該印刷データの印刷処理を優先させるための優先情報を付加した要求情報を前記発行ステップで発行させる制御を実行する制御ステップと、を有することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正書】
【提出日】平成20年4月7日(2008.4.7)
【手続補正１】
【補正対象書類名】特許請求の範囲
【補正対象項目名】全文
【補正方法】変更
【補正の内容】
【特許請求の範囲】
【請求項１】
券媒体から券媒体固有の識別情報及び改札処理に必要な改札情報を読み取る読取手段と、
前記読取手段により読み取られた改札情報に基づいて改札処理を行う改札手段と、
前記改札手段による改札処理の結果に対応した案内画面を表示する表示手段と、
前記表示手段を制御して、前記読取手段により読み取られた識別情報に対応した特定の表示パターンで案内画面を表示させる制御手段と、
を備えたことを特徴とする改札機。
【請求項２】
券媒体から券媒体固有の識別情報及び改札処理に必要な改札情報を読み取る読取手段と、
前記読取手段により読み取られた改札情報に基づいて改札処理を行う改札手段と、
前記改札手段による改札処理の結果に対応した案内画面を表示する表示手段と、
利用者の通行を許可する旨の複数種類の表示パターンを記憶した記憶手段と、
前記改札手段による利用者の通行を許可する旨の判定に基づき、前記記憶手段に記憶された複数種類の表示パターンから、前記読取手段により読み取られた識別情報に対応した特定の表示パターンを選択する選択手段と、
前記表示手段を制御して、前記選択手段により選択された表示パターンで通行を許可する旨の案内画面を表示させる制御手段と、
を備えたことを特徴とする改札機。
【請求項３】
無線通信を行うためのアンテナ部を介して無線通信可能な券媒体との間で無線通信を行い、この無線通信において券媒体から券媒体固有の識別情報及び改札処理に必要な改札情報を読み取る通信手段と、
前記通信手段により読み取られた改札情報に基づいて改札処理を行う改札手段と、
前記改札手段による改札処理の結果に対応した案内画面を表示する表示手段と、
利用者の通行を許可する旨の複数種類の表示パターンを記憶した記憶手段と、
前記改札手段による利用者の通行を許可する旨の判定に基づき、前記記憶手段に記憶された複数種類の表示パターンから、前記読取手段により読み取られた識別情報に対応した特定の表示パターンを選択する選択手段と、
前記表示手段を制御して、前記選択手段により選択された表示パターンで通行を許可する旨の案内画面を表示させる制御手段と、
を備えたことを特徴とする改札機。
【手続補正２】
【補正対象書類名】明細書
【補正対象項目名】発明の名称
【補正方法】変更
【補正の内容】
【発明の名称】改札機